Podtech/llm-jp-corpus-v4-ja_patent huggingface dataset:
(57)【特許請求の範囲】
【請求項１】
基部（２）と、
前記基部（２）から突出しており、アーチ型区域（４ｂ）を備える支持棒（４）と、
前記棒（４）によって支持され、上方穴（１４）を有するキャップ（１２）、および前記穴（１４）から突出し、複数の貫通孔（２０）を備え付けるドーム型壁（１８）を備える散光群（１０）と、
ＬＥＤ光源（４６）、および前記光源が接続されており、前記ドーム型壁（１８）内に配置されている放熱群（４８）を備える光学群と
を備える照明装置（１）であって、
前記光学群が、前記ドーム型壁（１８）と少なくとも部分的に接触するように配置され、複数の穴（５４）、または周辺縁部に沿って突出部（５６）を含む放熱板（５２）を備えて、前記ドーム型壁（１８）の穴（２０）の縁部を再生し、観察者から前記放熱壁（５２）を隠すようになっている、照明装置（１）。
【請求項２】
前記光学群が、前記放熱板（５２）に連結され、前記光源（４６）に接続されている、ＬＥＤを導くための駆動体（５０）を備える、請求項１に記載の装置。
【請求項３】
前記棒（４）の端部に配置され、電力を供給され、前記駆動体群（５０）に接続するために、前記ドーム型壁（１８）に交差するのに適するコネクタ（４０）を備える、請求項２に記載の装置。
【請求項４】
鐘状体（３０）を備える装置であって、前記キャップ（１２）が可動可能に鐘状体（３０）に嵌合し、前記鐘状体（３０）の部分が前記ドーム型壁（１８）を形成する、請求項１から請求項３のいずれか一項に記載の装置。
【請求項５】
前記放熱板（５２）が、前記ドーム型壁（１８）の内面に密着するために、前記ドーム型壁（１８）のように凹型である、請求項１から請求項４のいずれか一項に記載の装置。
【発明の詳細な説明】
【技術分野】
【０００１】
本発明は、装飾的なＬＥＤ照明装置に関する。
【背景技術】
【０００２】
装飾用照明部は、新しい形状に対する不断の追求によって、審美的観点から、ならびにそのような新しい審美的傾向を支持することが多い、技術的および機能的観点の両方から、革新するための多大な努力によって特徴付けられる。
【０００３】
技術的革新は、目に見えると製品の美観を損ねるようないくつかの機能的構成要素を隠すために、審美的に価値がある製品を作製するために、時には必要とされることがある。
【発明の概要】
【０００４】
本発明の目的は、穴を取り付けられている鐘状体を有するＬＥＤ照明装置を作製することであり、その装置では、ＬＥＤ光学群の機能的構成要素が、観察者にほとんど見えない。
【０００５】
そのような目的は、請求項１に記載の照明装置によって達成される。
【図面の簡単な説明】
【０００６】
【図１】本発明による照明装置の図である。
【図２】図１の照明装置の散光群の詳細図である。
【図３】図２の散光群のいくつかの構成要素の組立図である。
【図４】図２の散光群のいくつかの構成要素の組立図である。
【発明を実施するための形態】
【０００７】
本発明による照明装置の特徴、および利点が、添付の図面による限定しない実施例によって作成された、以下の説明から明らかになるであろう。
【０００８】
添付の図面を参照すると、符号１は床照明装置を示す。
【０００９】
装置１は、基部２を備え、基部２は、大理石から作製され、例えば、平行六面体形状を有することが好ましい。
【００１０】
さらに、装置１は、基部２から突出しており、第１の実質的に垂直な区域４ａ、および第２のアーチ型区域４ｂを含む支持棒４を備える。
【００１１】
加えて、照明装置は、棒４によって支持されている散光群１０を備える。
【００１２】
散光群１０は、球面部分の形状であり、上方穴１４によって上方に開放しているキャップ１２を備える。
【００１３】
キャップは、不透明であることが好ましい。
【００１４】
複数の貫通孔を備え付けるドーム型壁１８が、穴１４から出ていることが好ましい。
【００１５】
好ましくは、散光群１０が鐘状体３０を備え、キャップ１２が、可動可能に鐘状体３０上に嵌め込まれている。鐘状体３０の部分は、キャップの穴１４から出ているドーム型壁１８を形成する。
【００１６】
装置１は、さらに、電気接続、および光源支持のために光学群を備える。
【００１７】
好ましくは、光学群が、棒４の電極端部に配置されている、ケーブルジャックなどのコネクタ４０を備え、そのコネクタ４０から、その内部に隠されている電線が出ている。
【００１８】
加えて、光学群が、鐘状体３０に係合するのに適し、鐘状体３０に交差し、コネクタ４０に挿入するのに適しているプラグ４４を備える。
【００１９】
例えば、プラグ４４は、鐘状体３０の外面に当接する当接基部４４ａ、および基部４４ａから突出し、鐘状体３０に交差する挿入部４４ｂを備える。
【００２０】
加えて、光学群が、ＬＥＤ光源４６、および放熱群４８を備え、放熱群４８は、鐘状体３０の内部に、プラグ４４の反対側に鐘状体３０と係合するのに適している。
【００２１】
放熱群４８は、ＬＥＤを導き、鐘状体３０に交差しているコネクタ４０に接続可能である駆動体５０、および鐘状体３０と接触するように予定されている放熱板５２を備える。
【００２２】
好ましくは、放熱板５２は、鐘状体３０の内側に密着するように、鐘状体３０に類似して凹型である。
【００２３】
加えて、放熱板５２は、穴５４に、または突出部５６の周辺縁部に沿って嵌合して、鐘状体の穴２０を再生するようになり、その結果、観察者に対して、放熱板５２の存在が実質的に隠される。
【００２４】
加えて、放熱板５２は、中央に、プラグ４４の挿入部４４ｂを挿入するための基底５８、およびプラグ４４内に突出しているピン６０を有し、ピン６０は、挿入部４４ｂの底面に交差し、コネクタ４０に係合している。
【００２５】
鐘状体３０、および放熱板５２が、例えば、鋼鉄によってなど、金属によって作製されることが好ましい。
【００２６】
キャップ１２が、例えば、鋼鉄によってなど、金属によって作製されることがさらに好ましい。
【００２７】
革新的なことに、上記の照明装置は、ＬＥＤ照明を有すると同時に、装置の審美的な外観を損なう可能性がある様々な機能的構成要素を隠すことを可能にする。
【００２８】
当業者なら、以下の特許請求の範囲によって定義される保護の範囲内に依然としてありながら、付随する要求を満たすために、上記の照明装置に対して変形形態を作製することができることは、明らかである。
【図１】
0005873552.tif 000002
【図２】
0005873552.tif 000003
【図３】
0005873552.tif 000004
【図４】
0005873552.tif 000005
(57)【特許請求の範囲】
【請求項１】
石炭灰から浮選により未燃カーボンを分離する際に用いられた捕集剤が表面に付着した未燃カーボンを溶媒で洗浄し、該捕集剤を除去した未燃カーボンを得ることを特徴とする吸着剤の製造方法。
【発明の詳細な説明】
【技術分野】
【０００１】
本発明は、石炭灰の湿式脱炭プロセスによって得られる未燃カーボンから吸着剤を製造する方法に関する。
【背景技術】
【０００２】
従来、石炭焚き火力発電所等で発生した石炭灰は、未燃カーボンの少ない石炭灰をセメントの原料等に利用し、未燃カーボン含有率の高い石炭灰は、有効利用することができず、産業廃棄物として埋め立て処理されていた。
【０００３】
そこで、特許文献１等に記載のように、石炭灰に水を加えてスラリーとし、スラリーに捕集剤を添加し、スラリー及び捕集剤に剪断力を付与して表面改質を行った後、浮選工程において、気泡に石炭灰の未燃カーボンを付着させて浮上させ、浮選分離された未燃カーボンを燃料として、また、未燃カーボン分を１重量％以下とした石炭灰（製品）をセメント用混合材、軽量骨材製造用原料として利用している。
【先行技術文献】
【特許文献】
【０００４】
【特許文献１】特許第３６１３３４７号公報
【発明の概要】
【発明が解決しようとする課題】
【０００５】
しかし、上記従来の石炭灰の湿式脱炭プロセスで回収される未燃カーボンは、燃料として再利用することはできるが、燃料としての再利用だけでは処理量に制限を受けるため、その他の用途の開発が求められていた。
【０００６】
そこで、本発明は、上記の点に鑑みてなされたものであって、石炭灰の湿式脱炭プロセスによって得られる未燃カーボンの用途を拡大することを目的とする。
【課題を解決するための手段】
【０００７】
上記目的を達成するため、本発明は、吸着剤の製造方法であって、石炭灰から浮選により未燃カーボンを分離する際に用いられた捕集剤が表面に付着した未燃カーボンを溶媒で洗浄し、該捕集剤を除去した未燃カーボンを得ることを特徴とする。これにより、未燃カーボンの表面に付着した軽油等の捕集剤を取り除いて吸着剤を得ることができる。この吸着剤は、疎水性を有する多孔質の炭素質の粒子である疎水性固体状未燃カーボンを含むため、親油性のダイオキシン類やＰＣＢ等の有機塩素化合物を捕捉することができ、燃焼排ガス等に添加してこれらの濃度を低減又は制御することなどが可能となる。
【発明の効果】
【００１０】
以上のように、本発明によれば、石炭灰の湿式脱炭プロセスによって回収された未燃カーボンから吸着剤を製造し、未燃カーボンの用途の拡大を図ることができる。
【図面の簡単な説明】
【００１１】
【図１】本発明に係る吸着剤の製造方法を示すフローチャートである。
【図２】本発明に係る吸着剤の製造方法によって製造された吸着剤の試験結果を示すグラフである。
【発明を実施するための形態】
【００１２】
次に、本発明を実施するための形態について図面を参照しながら詳細に説明する。
【００１３】
上記特許文献１等に記載されている石炭灰の湿式脱炭プロセスにおいては、石炭灰から浮選により未燃カーボンを分離する際に軽油、灯油、重油等の捕集剤を用いる。そのため、未燃カーボンの表面に捕集剤が付着し、未燃カーボンの細孔（特にミクロ孔）が覆われている。表１及び図２の比較例１は、このような湿式脱炭プロセスから回収された未燃カーボンを示し、口径２ｎｍ未満のミクロ孔の容積は、０．００００ｍＬ／ｇであり、比表面積も１９．７ｍ2／ｇと小さく、このままでは吸着剤として使用することはできない。尚、比表面積及びメソ孔の細孔容積の測定は、島津マイクロメリティクスASP-2400（株式会社島津製作所製）を使用して行った。
【００１４】
【表１】
0005989480.tif 000002
【００１５】
そこで、図１のステップＳ１において、上記湿式脱炭プロセスから回収された未燃カーボンを受け入れた後、ステップＳ２において、受け入れた未燃カーボンをトルエン、ベンゼン、ヘキサン等の溶媒で洗浄する。尚、これら以外にも、捕集剤としての軽油等を溶媒処理することができるものであれば、他の溶媒を使用することもできる。
【００１６】
上記溶媒処理により、未燃カーボンの表面の軽油等の捕集剤が除去され、細孔が復活し、比表面積の大きい疎水性固体状未燃カーボンが得られる。表１及び図２の実施例は、このようにして得られた洗浄品を示し、ミクロ孔の容積は、０．００４５ｍＬ／ｇであり、メソ孔及びマクロ孔の容積も比較例１に比較して増加している。また、比表面積も５７．５ｍ2／ｇと比較例１に比較して大幅に増加し、吸着剤として好適に使用することができる。
【００１７】
比較例２、３は、別途未燃カーボンを含有する原料を非極性有機溶媒と水とを用いて液液抽出して得られた吸着剤であるが、これらと比較しても実施例の洗浄品は、吸着剤の品質として遜色ないことが判る。尚、比較例２、３は、各々未燃カーボンを含有する原料の由来が異なるため、性状が異なっている。
【００１８】
次に、図１のステップＳ３において、未燃カーボンの洗浄処理を行った後の、軽油等の捕集剤を含む溶媒を、沸点の差（例えば、軽油：約１８０〜３００℃、トルエン：約１１０℃）によって分離し、分離した軽油等を、石炭灰から未燃カーボンを浮選を介して除去する際に使用する捕集剤として再利用し、分離したトルエン等を溶媒として再利用することができる。
【００１９】
以上のように、本発明によれば、石炭灰の湿式脱炭プロセスで回収される未燃カーボンを燃料として再利用するだけでなく、この未燃カーボンを溶媒洗浄して吸着剤としても再利用可能とすることができ、未燃カーボンの用途の拡大を図ることができる。
【図１】
0005989480.tif 000003
【図２】
0005989480.tif 000004
(57)【特許請求の範囲】
【請求項１】
下記の工程を含む昆虫類からの表面仕上材の製造方法：
（１）  適当な性質を有する昆虫類として、繁殖の後に自然死した金属色の木食いカブト虫類を選択すること；
（２）  上記の昆虫類の羽、頭部または腹部の下側部を完全に乾燥すること；
（３）  上記の完全に乾燥した昆虫類の前記部位の表面下部の組織を分解および除去すること、ここで
工程（２）は、約３０〜４０℃の温度での１〜２日間の太陽光または乾熱を使用して実施され；
工程（３）は、上記の組織を除くために力を加えることにより実施され、かつ
上記の表面仕上材は種々の寸法の小片に切断することにより分割され、上記木食いカブト虫類は孵化後約９ヶ月〜１年のタイ国産の玉虫である。
【請求項２】
表面仕上材の厚さが０．１〜１．５ｍｍである請求項１記載の製造方法。
【請求項３】
表面仕上材の厚さが０．５〜１．０ｍｍである請求項２記載の製造方法。
【請求項４】
繁殖の後に自然死した金属色の木食いカブト虫類を選択して用いることにより、前記表面仕上材はより光沢があり虹色の輝きもより優れ、破損に対する抵抗性が増している、請求項１〜３のいずれかに記載の製造方法。
【発明の詳細な説明】
【技術分野】
【０００１】
（本発明の概要）
本発明は、種々の光沢のある色による虹色の輝きのある天然材料からの表面仕上材の製造方法であって、寸法は必要に応じて大きい小片あるいは小さい小片に選択でき、しかも、自然の特徴を利用し環境に有害な影響を引き起こさない、該製造方法に関する。
本発明は、硬く、脆い、種々の光沢のある色による虹色の輝きのある、容易には破損しない天然材料からの表面仕上材の製造方法に関する。
【背景技術】
【０００２】
過去から現在にわたり、人類は感動を高めるためや自己の宗教上の信条に敬意を捧げるためのような異なった目的の種々の芸術品を作り出してきた。従って、種々の芸術の異なった形態の創作品が存在する。このような創作品の一つには、諸材料、装置または任意の対象の表面を、表面エッチング、図案による装飾、印刷などの種々の方法を用いて仕上げすることが含まれる。好ましい方法の一つは、表面を飾るために諸材料をはりつけることである。このような材料は通常、表面仕上材と呼ばれる。
【０００３】
好ましく使用される表面仕上材は植物、動物のような天然材料である。たとえば表面に種々の光沢のある色による虹色の輝きのある材料をはりつけることである。しかし、これらの材料は通常、非常に脆くて破損し易いという弱点を有する。
【発明の概要】
【発明が解決しようとする課題】
【０００４】
（本発明の詳細な説明）
本発明は、種々の光沢のある色による虹色の輝きのある、通常非常に脆く、破損し易い天然材料による表面仕上材の製造方法を目的としており、そのため本発明はこの弱点の改善を目指していて、適切に適合させることにより達成することができる。
【課題を解決するための手段】
【０００５】
本発明の方法に使用するのに適した材料は、種々の光沢のある色による虹色の輝きのあるものでなくてはならない。好ましくは、これらの材料は、甲虫目タマムシ科に属する金属色の木食いカブト虫のような硬い羽をもつ昆虫または同様の性質を有するほかの昆虫から選ばれた昆虫から得られる。
【０００６】
使用されるべきこれらの昆虫の部位は頭部、胴体部、関節、または腹部の下側部である。より適した部位は、大きさが適当であり、種々の作品に使用できるので羽である。これらの昆虫は寿命サイクルが短いが、どのような観点をもってしても、これが本発明で表面仕上材にこれらの昆虫を用いる理由ではない。
【０００７】
自然を保護するという本発明の性質から、本発明は自然死して、同時に付加価値を生ずる昆虫類を対象としている。研究者達によれば、自然死した昆虫類の種々の部位を使用する本発明の製造方法により製造される表面仕上材は、自然死でない昆虫類を用いたものよりよい結果が得られることが見出されている。すなわちそのような表面仕上材は、より光沢があり虹色の輝きもより優れ、破損に対する抵抗性が増している。理論によるものではないが、使用に適した昆虫類は、繁殖後に自然死したものであるべきである。通常、この昆虫類は、孵化後約９ヶ月から１年のものである。従って、本発明の目的を達成するためには、本発明の特有の性格からのみ見出されることであるが、昆虫類が自然死することが確実でなくてはならない。
【０００８】
本発明の一つの実施態様としては、上記の死んだ昆虫類は、まず、完全に乾燥しなければならない。乾燥は、昆虫またはその必要な部位を分解するのに高すぎない温度、例えば約３０〜４０℃の温度で、昆虫のタイプおよび他の条件によってはさらに長くなるが、約１〜２日間の太陽光、または乾熱のような多数の方法で場合により実施できる。
【０００９】
加えて、上記の表面仕上材の表面下部の組織を分解する、上記の表面仕上材片の色が褐色から黒に変化することにより観察される一つの方法を、選ぶことが出来る。この方法は化学薬品を使用することなく、機械装置または必要なら工具による圧力のような適当な力を適用して組織を除く事によって達成できる。本発明においては、昆虫の年齢が不適当である場合および、本発明により適切に乾燥されていない場合にはこれらの組織は昆虫の部位からその部位を破損させずに取り除くことはできない。
【００１０】
本発明においては、表面仕上材の得られた厚さが光の反射に影響し、それが個々の光沢ある色と虹色の輝きに影響するので、適当な厚さは０．１〜１．５ｍｍ、さらに好ましくは０．５〜１．０ｍｍであることが見出されている。
【００１１】
所望の厚さが得られたときには、場合により、その表面仕上材を、用途により必要とされる種々の寸法の小片に切断することにより分割する。
【００１２】
本発明の方法に従って製造された製品は単独で任意の材料、装置または道具の表面仕上に、あるいは、リゴジウムフレクソスム（Lygodium flexuosum）種のつた、籐、竹もしくは金のような貴金属のようなほかの材料とともに、あるいは任意の工芸技法とともに用いられる。
(57)【特許請求の範囲】
【請求項１】
水平回転棒と
水平回転棒に固定された主円盤大歯車および主円盤小歯車と
一端が水平回転棒に回転自在に装着された吊下棒と
吊下棒の他端に回転自在に装着され，主円盤小歯車に接するように配置された吊下歯車小と
吊下棒の他端に回転自在に装着され，伝達歯車小に接するように配置された吊下歯車大と
一端が水平回転棒に回転自在に装着された上乗棒と
上乗棒の他端に回転自在に装着され，主円盤大歯車に接するように配置された上乗歯車と
吊下歯車大の回転力を上乗歯車に伝えるために必要な伝達歯車大および伝達歯車小と逆回転歯車を配置した
上乗棒と吊下棒を一体化する一体装置と
上乗棒と吊下棒を分離する分離装置を備えた装置。
【発明の詳細な説明】
【技術分野】
【０００１】本発明は回転軸を保有する回転体を利用する技術に関するものである。
【背景技術】
【０００２】従来の回転装置では風力／水力／火力／原子力／電力等の資源を必要としている。
【発明の開示】
【発明が解決しようとする課題】
【０００３】従来の回転装置にて利用できる資源には次の課題点が掲げられる。
風力は適切な風を必要とするので常時の安定エネルギー供給に難がある。
水力は大きな設備を必要として最終エネルギーを必要とする場所から遠隔地に離れている。
火力は石油資源を消費することで温暖化等の大きな問題を生み出しており資源には限りがある。
原子力は事故発生時の影響が極端に大きく最終的に後処理の難しい副産物を発生している。
電力は現在上記の何れかを必要としている。
【課題を解決するための手段】
【０００４】この錘回転装置は常時地球上の地域性によらず普遍的に作用している重力を有効に利用することでこれらの課題を解決するものである。
【発明の効果】
【０００５】重力利用にて回転力を得られれば，例えば発電装置に利用することで必要とする各都市や各家庭または個々の機器等それぞれの用途に見合ったサイズの低公害の発電装置の開発が可能となる。
【本発明を実施するための最良の形態】
【０００６】■概要
図例のように歯車を組み合わせて各歯車の半径と吊下歯車および上乗歯車重量を適当な値にすると，吊下歯車と上乗歯車をそれぞれ別個にした場合は回転落下力の差異から吊下歯車が回転落下して上乗歯車を転がしながら持上げて，同一棒に乗せて一体化した場合は全体の重心が落下するために回転体全体が回転して吊下歯車を持上げられて上乗歯車が落下するという両者逆の上昇と下降運動を行なう。本装置はこの運動を交互に繰返す機構を組み込むことで装置内の錘を使用して回転運動を永続する。
■装置仕様
水平に置いた台に垂直に支柱を２本立てる。２本の支柱上部の間に自由に回転できるように水平回転棒を装着する。水平回転棒に主円盤大と主円盤小歯車を固定して，伝達歯車大と伝達歯車小は自由に１体化して回転できるように装着する。吊下歯車小は主円盤小に，吊下歯車大は伝達歯車小に接するように吊下棒を使用して水平回転棒に１体化して回転できるように吊下げる。逆回転歯車は伝達歯車大と上乗歯車に接するように上乗棒を使用して水平回転棒に吊下げる。上乗歯車には吊下歯車大小重量を考慮して次に述べる条件を満たした適当な重量の錘円盤を装着する。図例ではそれぞれの歯車半径は，主円盤大２００，小８０，吊下歯車大１００，小８０，伝達歯車大１２０，小６０，逆回転歯車２０，上乗歯車２０としているが，この場合には吊下歯車は自身重量の４倍の上乗歯車重量と回転落下力が同一角度にて均衡するので上乗歯車重量を吊下歯車重量の３倍程度として上記の要件に応える。
吊下棒と上乗棒を別個にするとそれぞれの回転落下力差から吊下歯車が主円盤小まわりを時計回りに回転落下するが，落下を停止する前に切替装置と一体装置にて上乗棒に吊下棒を乗せて一体化する。上乗棒に吊下棒を乗せて一体化すると全体重心が水平回転棒の鉛直線下方に移動するために主円盤全体が反時計回りに回転するが，回転を停止する前に切替装置と分離装置にて上乗棒と吊下棒を分離する。切替装置は吊下棒と上乗棒に装着してそれらの一体化と分離作業を行ない，一体装置と分離装置は支柱に位置を固定して切替装置にこの作業を協力する。
主円盤と上乗歯車には時計回りの回転を防止するために逆回転防止装置を装備して装置回転の初動を容易として，また回転運動が停止することを防止している。
■動作仕様
１．主円盤回転（水平回転棒回転）を手で停止させるとやがて装置全体が静止する。この静止した状態にて手を放すと最初の動作に差異はあるが，やがて次の順序で装置は回転運動を継続する。
２．吊下棒と上乗棒が別個の状態では吊下歯車が主円盤小まわりを時計回りに回転落下して主円盤大に接する上乗歯車を持上げて回転体重心は上昇する。吊下歯車が回転を停止する前に切替装置と一体装置にて上乗棒に吊下棒を乗せて一体化する。
３．一体化した上乗棒と吊下棒は回転体重心が落下移動するために主円盤全体が反時計回りに回転して吊下歯車を持上げる。主円盤全体が回転を停止する前に切替装置と分離装置にて上乗棒と吊下棒を分離する。
４．これにより上乗棒と吊下棒は一体装置と分離装置の間をシーソーのように上下運動を交互に繰返して，吊下歯車は時計回り，上乗歯車と主円盤は反時計回りに回転運動を継続する。
５．この後は２と３の運動を交互に繰返して回転運動を徐々に加速する。
６．水平回転棒に吊下棒と上乗棒を等角度に２個，３個，．．．と本装置を並べて配置することで回転力を容易に増大できて，また回転運動がより滑らかとなる。
【図面の簡単な説明】
【０００７】
【図１】吊下棒が水平での分離状態の正面図で吊下歯車と上乗歯車の回転落下力から吊下歯車が回転落下して上乗歯車が回転上昇することを示す。
【図２】吊下棒が水平での一体状態の正面図で全体重心の回転落下力から主円盤全体が反時計回りに回転することを示す。また一体状態での反時計回り回転力が分離状態での時計回り回転力より大きいことから本装置を水平回転棒に複数個並べることが有効であることを示している。
【図３】回転棒が水平状態での上乗歯車側から見た側面図である。
【図４】回転棒が水平状態での上面図である。
【符号の説明】
【０００８】図１を参照
【図１】
0005906564.tif 000002
【図２】
0005906564.tif 000003
【図３】
0005906564.tif 000004
【図４】
0005906564.tif 000005
(57)【特許請求の範囲】
【請求項１】
四隅がカットされた平板の突出した四カ所を内側に９０°折り曲げてなる前面パネル及び背面パネルと、格子状の左側面パネル及び右側面パネルと、天板を備え、前面パネル及び背面パネルの折り曲げ面に、左右側面パネルと天板をネジにて取り付けてなる連結式ペットケージであって、
背面パネルを外したペットケージ同士の間に、連結パーツ取り付け面を四辺の前後両方向に突出させた連結パーツを介在させて、各連結パーツ取り付け面と両ペットケージの左右側面パネル及び天板をネジ止めすることで、ペットケージ同士を繋いで縦方向に延長可能な連結式ペットケージ。
【請求項２】
前面パネル及び背面パネルの上下に形成された折り曲げ面を用いて、ペットケージ同士を上下方向に並べて連結することが可能な請求項１記載の連結式ペットケージ。
【請求項３】
前面パネル及び背面パネルの左右に形成された折り曲げ面を用いて、ペットケージ同士を横方向に並べて連結することが可能な請求項１又は２記載の連結式ペットケージ。
【発明の詳細な説明】
【技術分野】
【０００１】この発明は、ペットケージをニーズに合わせ拡張可能に作り上げた、ペットケージの構造に関するものである。
【発明の概要】
【発明が解決しようとする課題】
【０００２】一般的な連結可能ペットケージは、横に並べて連結、上方向のみに連結していくペットケージはあるが、本発明のペットケージは、ユーザーの任意により上方向、横並び、前後と連結する選択肢が多くライフスタイルに合わせてペットケージを連結することが可能となっている。
【課題を解決するための手段】
【０００３】このペットケージの構造の基本となるのが、前面ａと背面ｂである。背面ｂは１枚の平板の四隅をカットし、板４箇所をペットケージ内側に９０°曲げた構造である。この折り曲げ面を図１の面１，２，３，４とし、また前面ａも同様にケージ内側に９０°曲げこの折り曲げた面を面５，６，７，８とする。この折り曲げ面１，２，３，４，５，６，７，８を用いることでペットケージとペットケージの連結および図９天板ｈ、図１０の格子パネルｄ、格子パネルｆ取り付け可能となる。
【発明の効果】
【０００４】図６のようにペットケージＡとペットケージＢを積み重ね同時に複数のペットを狭いスペースで飼うことが可能。図７のようにペットケージＡとペットケージＣを並べることで、ペットケージ内を広く使うことができる。また図８にある連結パーツｇを図４のように間に使用することで図５のような拡張も可能。
【図面の簡単な説明】
【０００５】
【図１】本発明のペットケージの構造の斜視図です。
【図２】本発明のペットケージの構造の別視点からの斜視図です。
【図３】本発明の構造に左側面パネルｄと右側面パネルｆとトレーｅを取り付けた斜視図です。
【図４】本発明のペットケージＡとペットケージＤを連結させるための連結パーツｇを間に置いた斜視図です。
【図５】本発明の構造にペットケージＡとペットケージＤに連結パーツｇを取り付けた斜視図です。
【図６】本発明のペットケージＡとペットケージＢを上下に連結した斜視図です。
【図７】本発明のペットケージＡとペットケージＣを並べて連結した斜視図です。
【図８】本発明の連結パーツｇの斜視図です。
【図９】天板ｈの正面図です。
【図１０】格子パネルｄおよび格子パネルｆの共通の正面図です。
【発明を実施するための形態】
【０００６】以下、本発明の実施の形態について、図面を参照しつつ詳細に説明すれば、
図１の折り曲げ面１，２，３，４にあるネジ穴１０，１１，１２，１３  図２折り曲げ面５，６，７，８にあるネジ穴９，１４，１５，１６、を使用してねじ固定することで、図３のように左側面パネルｄや右側面パネルｆ、図６のように天板ｈを取り付けることが可能、ネジ穴の間隔および折り曲げ面の面積は共通である。
【０００７】図４のように、ペットケージＡの背面ｂを外し、ペットケージＤの背面ｂ外し、図８連結パーツｇを図４のようにペットケージＡとペットケージＤの間に使用することで、図５のようにペットケージの拡張が可能となる。
【０００８】図８連結パーツｇは折り曲げ面は、１から８と同じサイズ・形状とし、１つの折り曲げ面を図８のように、２箇所つけることでペットケージＡとペットケージＤを連結可能となる。
【０００９】図６のように、上下に連結する場合ペットケージＡの図１の折り曲げ面４のネジ穴１２と図２の折り曲げ面８のネジ穴１５を、ペットケージＢの図１の折り曲げ面２のネジ穴１０と図２の折り曲げ面６のネジ穴９をそれぞれネジにて固定することで連結が可能。
【００１０】図７のように、並べて連結する場合ペットケージＡの図１の折り曲げ面１のネジ穴１３と図２の折り曲げ面５のネジ穴１４を、ペットケージＣの図１の折り曲げ面３のネジ穴１１と図２の折り曲げ面７のネジ穴１６をそれぞれネジにて固定することで連結が可能。
【符号の説明】
【００１１】１  折り曲げ面
２  折り曲げ面
３  折り曲げ面
４  折り曲げ面
５  折り曲げ面
６  折り曲げ面
７  折り曲げ面
８  折り曲げ面
９  ネジ穴
１０  ネジ穴
１１  ネジ穴
１２  ネジ穴
１３  ネジ穴
１４  ネジ穴
１５  ネジ穴
１６  ネジ穴
１７  連結パーツ取り付け面
１８  連結パーツ取り付け面
１９  連結パーツ取り付け面
２０  連結パーツ取り付け面
２１  天板ネジ穴
２２  天板ネジ穴
２３  格子パネルネジ穴
２４  格子パネルネジ穴
ａ  前面
ｂ  背面
ｃ  柱
ｄ  左側面パネル
ｅ  トレー
ｆ  右側面パネル
ｇ  連結パーツ
ｈ  天板
Ａ  ペットケージ
Ｂ  ペットケージ
Ｃ  ペットケージ
Ｄ  ペットケージ
【図１】
0005906530.tif 000002
【図２】
0005906530.tif 000003
【図３】
0005906530.tif 000004
【図４】
0005906530.tif 000005
【図５】
0005906530.tif 000006
【図６】
0005906530.tif 000007
【図７】
0005906530.tif 000008
【図８】
0005906530.tif 000009
【図９】
0005906530.tif 000010
【図１０】
0005906530.tif 000011
(57)【特許請求の範囲】
【請求項１】
板状の扉本体と、該板状の扉本体の周囲に取り付けた枠体と、からなる盤の扉構造であって、
上記扉本体は、フラットな板材で形成され、
上記枠体は、上記扉本体の周縁部の内面を抑える内側枠体と、上記扉本体の周縁部の外側面に当接して、上記内側枠体との間で上記扉本体の周縁部を挟着する外側枠体と、で構成され、
上記内側枠体は、一側面に上記扉本体の周縁部を重ね合わせる角型パイプ状に形成され、
上記外側枠体は、上記角型パイプの角部を挟んで該角型パイプの２つの外側面に跨って重ね合わされて一方の側面で上記扉本体の周縁部の外面を抑える略Ｌ状に形成されていることを特徴とする盤の扉構造。
【請求項２】
上記内側枠体及び外側枠体は、アルミ複合材で形成されていることを特徴とする請求項１記載の盤の扉構造。
【発明の詳細な説明】
【技術分野】
【０００１】
本発明は、電気設備における配電盤やコンピュータのサーバ用キャビネット、その他の一般的なキャビネット等にも適用可能な扉の構造に関するものである。
【背景技術】
【０００２】
電気設備における配電盤等の盤やコンピュータのサーバ用キャビネット等に搭載される扉は、主に板金を曲げ加工した一体構造で製作されている。
【先行技術文献】
【特許文献】
【０００３】
【特許文献１】特開２００９−９５１７６（特に図３（ｂ））
【発明の概要】
【発明が解決しようとする課題】
【０００４】
ところで、上記従来の扉には、次に述べるような問題点があった。
（１）扉の板厚を薄くすると自重を支えられなくなり撓（たわ）んでしまう。扉に強度を持たせるため板厚を厚くするとコストが高くなり、また重くて扱い難いものになる。
（２）板金を曲げる構造では曲げられる素材しか使えないため、例えば軽量なアルミ複合材などの曲げ加工が難しい素材は構造材として用いることが困難である。（３）盤の扉は、製品毎に様々な形で設計されており設計・製造効率が悪い。設計のバリエーションが増えれば、不良率の増加の原因ともなり得る。
【課題を解決するための手段】
【０００５】
請求項１の盤の扉構造は、板状の扉本体と、該板状の扉本体の周囲に取り付けた枠体と、からなり、
上記扉本体は、フラットな板材で形成され、
上記枠体は、上記扉本体の周縁部の内面を抑える内側枠体と、上記扉本体の周縁部の外面に当接して、上記内側枠体との間で上記扉本体の周縁部を挟着する外側枠体と、で構成され、
上記内側枠体は、一側面に上記扉本体の周縁部を重ね合わせる角型パイプ状に形成され、
上記外側枠体は、上記角型パイプの角部を挟んで該角型パイプの２つの外側面に跨って重ね合わされて一方の側面で上記扉本体の周縁部の外面を抑える略Ｌ状に形成されていることを特徴とする。
【０００７】
請求項２の発明は、請求項１記載の盤の扉構造において、上記内側枠体及び外側枠体は、アルミ複合材で形成されていることを特徴とする。
【発明の効果】
【０００８】
（１）請求項１の盤の扉構造は、板状の扉本体と、該板状の扉本体の周囲に取り付けた枠体と、で構成し、上記枠体を、上記扉本体の周縁部の内面を抑える内側枠体と、上記扉本体の周縁部の外側面に当接して、上記内側枠体との間で上記扉本体の周縁部を挟着する外側枠体と、で構成したので、上記内側枠体と外側枠体で扉本体の周縁部を挟んで扉本体の周縁部をしっかりと補強することができ、板状の扉本体自体が薄くて撓み易いものでも、枠体で扉本体の撓み等を防止することができる。
【０００９】
また、扉本体を曲げずに枠体を形成するので扉本体に軽量なアルミ複合材などの曲げ加工が難しい素材を使用することが可能になる。
さらに、上記内側枠体を角型パイプで形成し、外側枠体を略Ｌ状に形成したので、角型パイプ状の内側枠体の一側面に扉本体の周縁部の内面を重ね合わせ、該扉本体の周縁部の外面に上記略Ｌ状の外側枠体の一側面を重ね合わせて、内側枠体と外側枠体を結合することにより、扉本体の周縁部に枠体を取り付けることができる。
（２）請求項２の扉は、枠体をアルミ複合材で形成したので、扉全体を軽量化することができる。
【図面の簡単な説明】
【００１０】
【図１】本発明の扉を使用した盤の分解斜視図。
【図２】扉の断面図。
【発明を実施するための形態】
【００１１】
図１は、配電盤１と、該配電盤１の筐体の開口部を開閉する扉２の分解斜視図である。扉２は、板状の扉本体３と、該板状の扉本体３の周囲に取り付けた枠体４と、からなっている。
【００１２】
上記扉本体３は、軽量なアルミ複合材等でフラットな板材で形成されている。
【００１３】
上記枠体４は、上記扉本体３の周縁部の内面を抑える内側枠体５と、上記扉本体の周縁部の外面に当接して、上記内側枠体５との間で上記扉本体３の周縁部を挟着する外側枠体６と、で構成されている。
【００１４】
上記内側枠体５は、図２に示すように、一側面５ａに上記扉本体３の周縁部３ａを重ね合わせる断面略四角形の角型パイプ状に形成されている。
【００１５】
上記外側枠体６は、上記角型パイプの角部５ｂを挟んで該角型パイプの２つの外側面５ａ，５ｃに跨って重ね合わされて、一方の側面６ａで上記扉本体３の周縁部３ａの外面を抑える略Ｌ状に形成されている。上記内側枠体５及び外側枠体６は、軽量なアルミ複合材で形成されている。
【００１６】
上記内側枠体５は、押出し成形等で形成されて４本の角パイプを図示省略したネジやリベット等により組み立てることにより形成されている。
【００１７】
上記扉本体３は、フラットな板材を折り曲げることなくそのまま使用するが、各種の計器類の表示窓やスイッチ類の窓７、もしくは通風孔などが目的に応じて所定の箇所に所定の個数形成されている。
【００１８】
上記扉本体３は、枠を形成するために折り曲げ構造としないので様々な素材を使用することが可能であり、例えば、軽量なアルミ複合材からなる板、その他、低価格な素材の板などを目的に応じて適宜採用することができる。
【００１９】
図２に示すように、上記内側枠体５と外側枠体６は、上記扉本体３の周縁部３ａを挟んだ状態で係止部材８により結合固定される。係止部材８にはネジやリッベ等が使用されるが、係止部材８を省略してスポット溶接等により内側枠体５と外側枠体６を結合してもよい。但し、この場合には当然のことながら内側枠５と外側枠体６の素材は、溶接が可能なものに限定される。
【００２０】
上記内側枠体５には、盤本体１に扉２を開閉可能に取り付けるための取付部材９が取り付けられている。取付部材９には、ヒンジなどの公知の部材が適宜採用される。また、外側枠６には、図示しない取手などが目的に応じて所定の箇所に適宜設けられる。
【符号の説明】
【００２１】
１…配電盤
２…扉
３…扉本体
４…枠体
５…内側枠体
６…外側枠体
７…窓
８…係止部材
９…取付部材
【図１】
0005906678.tif 000002
【図２】
0005906678.tif 000003